(57)【要約】 【課題】長い櫛歯列を有する櫛体の櫛付き容器とする。【解決手段】キャップを、キャップ筒３０と別部材とされた櫛体４０により構成する。キャップ筒３０の上部に設けた取付ベース３２に櫛体４０を取付ける。櫛体４０に立設した櫛歯片４２には、基部から歯先に向けて内部の中間部位まで連通孔４２ａを形成し、注出口４２ｂから液剤を注出する。成形工程では櫛歯台４１の内側から歯先に向けてピンを挿入して連通孔４２ａを形成するものであるが、櫛体４０のみを成形するために、キャップ筒３０の最も狭い部位Ｄに制限されることなく、取付ベース３２（櫛歯台４１）の幅を長くして、櫛歯列を長くすることができる。【選択図】  図３
2012040437.tif 000002
【特許請求の範囲】
【請求項１】
櫛体を設けたキャップを容器本体の口縁部に取付けて、液剤を該櫛体の櫛歯片の中間部から注出可能にした櫛付き容器において、
前記キャップは、前記容器本体に取付けられる有蓋円筒形のキャップ筒と、該キャップ筒の上面に脱着可能に取付けられる櫛体とが別部材により形成され、
前記キャップ筒の上端は、該キャップ筒の最も狭い部位よりも幅広とされた枠状の取付ベースが形成されるとともに該取付ベースの外周に係合リブが形成され、  一方、前記櫛体の下面側に該係合リブに係合する凹条が形成されて該櫛体が該キャップ筒に取付けられ、
また、前記櫛体は、該櫛歯台の内側上面に複数の前記櫛歯片を該キャップ筒の最も狭い部位よりも幅広の範囲に立設し、該櫛歯片の内部に基部から歯先に向けた連通孔を中間部位まで形成されていることを特徴とする櫛付き容器。
【請求項２】
連通孔は、櫛歯列の最も外側に位置する端部櫛歯片のみを除いた櫛歯片に形成されていることを特徴とする請求項１記載の櫛付き容器。
【発明の詳細な説明】
【技術分野】
【０００１】
この発明は、容器本体に収容された毛髪染色剤やヘアマニキアなどの液剤を直接頭髪に塗布できる櫛付き容器に関する。
【背景技術】
【０００２】
染毛剤やヘアマニキアなどの液剤を収容した容器本体を密封するキャップに、複数の櫛歯片を設け、この櫛歯片の中間部から液剤を注出可能として、頭髪に液剤を直接塗布できるようにした櫛付き容器は、従来から特許文献１〜特許文献３等により開示されている。これらの従来の技術では、キャップの上面に複数の櫛歯片を一体成形により形成するものであるが、それぞれの櫛歯片内にその中間部から液剤を注出する連通孔を容器本体内部に連通させて設けている。
【先行技術文献】
【特許文献】
【０００３】
【特許文献１】特開平１０−１３７０２９号公報
【特許文献２】特開２０００−２３４号公報
【特許文献３】特開２０００−１２０３３９号
【発明の概要】
【発明が解決しようとする課題】
【０００４】
これらの成形型では、連通孔を成形するピンをキャップの内側から歯先に向かって配設する必要があり、このため、連通孔を形成した櫛歯を設けることができるのは、キャップ内の最も狭い部位（図３に示す符号Ｄ参照）の範囲に限定されていた。このため、短い櫛歯列の櫛体とせざるを得ず、係る櫛では、梳くことのできる頭髪の範囲が短く、染めむらの無いように素早く梳くのに十分な長さを確保することができなかった。
【０００５】
そこで、本発明では、キャップをキャップ筒と櫛体とを分割して成形することにより、櫛歯列の長い櫛体とすることを目的としている。
【課題を解決するための手段】
【０００６】
請求項１の発明では、キャップは、容器本体に取付けられる有蓋円筒形のキャップ筒と、キャップ筒の上面に脱着可能に取付けられる櫛体とが別部材により形成され、キャップ筒の上端は、キャップ筒の最も狭い部位よりも幅広とされた枠状の取付ベースが形成されるとともに取付ベースの外周に係合リブが形成され、  一方、櫛体の下面側に係合リブに係合する凹条が形成されて櫛体がキャップ筒に取付けられ、また、櫛体は、櫛歯台の内側上面に複数の櫛歯片をキャップ筒の最も狭い部位よりも幅広の範囲に立設し、櫛歯片の内部に基部から歯先に向けた連通孔を中間部位まで形成されている。
これにより、キャップを一体成形した場合に較べて、キャップ筒内の最も狭くなった部位範囲に限定されることなく、長い櫛体を成形することができて、素早く頭髪を梳くことができる。
【発明の効果】
【０００７】
請求項１の発明では、キャップは、容器本体に取付けられる有蓋円筒形のキャップ筒と、キャップ筒の上面に脱着可能に取付けられる櫛体とが別部材により形成され、キャップ筒の上端は、キャップ筒の最も狭い部位よりも幅広とされた枠状の取付ベースが形成されるとともに取付ベースの外周に係合リブが形成され、  一方、櫛体の下面側に係合リブに係合する凹条が形成されて櫛体がキャップ筒に取付けられ、また、櫛体は、櫛歯台の内側上面に複数の櫛歯片をキャップ筒の最も狭い部位よりも幅広の範囲に立設し、櫛歯片の内部に基部から歯先に向けた連通孔を中間部位まで形成されていることにより、長い櫛体により、素早く梳いて染めむらのない櫛付き容器とすることができる。
【図面の簡単な説明】
【０００８】
【図１】斜視図
【図２】キャップの分離斜視図
【図３】キャップの縦断正面図
【図４】キャップの縦断側面図
【図５】櫛体の成形を説明する説明図
【発明を実施するための形態】
【実施例】
【０００９】
以下、染毛剤の容器に適用した実施例を図１〜図５に基づいて説明する。
図１に示すように、この実施例の櫛付き容器１は、染毛剤が充填される可撓性の合成樹脂からなる有底筒状の容器本体２と、この容器本体２を密閉状に取付けるキャップ３から構成されている。容器本体２の上部には、開口を設けた首部２ａが形成され、この首部２ａの外周に図示しない雄ねじ部が形成されている。
【００１０】
キャップ３は、その下部に容器本体２に取付けられる有蓋円筒形のキャップ筒３０と、キャップ筒３０の上面に脱着可能に取付けられる櫛体４０とから構成されている。キャップ筒３０の内面には、雄ねじ部２ｂに螺合する雌ねじ部３１が形成されていて、容器本体２の開口を覆って、密封状に螺合されている。
【００１１】
また、キャップ筒３０の上部には、キャップ筒３０に連通する略方形の取付ベース３２が上方に一体成形により突出して、枠状に設けられている。この取付ベース３２は、図３に符号Ｄで示されるキャップ筒３０の最も狭い部位長さよりも長いものとされている。また、この取付ベース３２の外周には、係合リブ３３が形成されている。
【００１２】
櫛体４０には、図３に示すように、櫛歯台４１の下面側が取付ベース３２の上縁からこれを挟んで嵌合する二条の枠片４３ａ，４３ｂが設けられていて、図示しないが、外側の枠片４３ａの内周には，取付ベース３２の外周面に形成された係合リブ３３に係合する凹条が形成されていて、この凹条に係合リブ３３が係合して、使用の際に外れることのないように取付けられている。
【００１３】
また、櫛歯台４１の上面中央に立設されている各櫛歯片４２は、薄肉の平板状に形成されていて、一定間隔で複数本（この実施例では１１本）立設されている。これら各櫛歯片４２の内部には、その基部から歯先に向けて容器本体１内に連通する連通孔４２ａが取付ベース３２の下面から略３／４の高さ位置まで形成されている。そして、この連通孔４２ａの先端に連通して、櫛歯片４２の側面、すなわち、隣接する櫛歯片４２に向けて注出口４２ｂが開口している。これによって、容器本体２内の染毛剤が、連通孔４２ａを通って櫛歯片４２の各片間に注出される。なお、櫛歯列の最も外側に位置する端部櫛歯片４２ｃ、４２ｄには、連通孔４２ａが設けられておらず、この両櫛歯片４２ｃ、４２ｄから染色液が注出されることはなく、染毛剤は各櫛歯片の間にのみ注出されて、各櫛歯片間に保持されて、たれ落ちないようにされている。
【００１４】
また、この実施例の櫛体４０は、キャップ筒３０とに分離しているために、図５に示すように、櫛体４０を成形する成形型は、連通孔４２ａを成形するピンＰが櫛体４０の内側から歯先に向かって配設される。このため、従来技術に述べたようにキャップ筒３０の内径に制限されることなく、長い櫛歯列を成形することができる。
【００１５】
従って、各櫛歯片４２の間隔は、染毛剤の頭髪へののびとなじみ、毛髪の絡み等を考慮して３〜５ｍｍが望ましいとされていて、従来、連通孔４２ａを設けた櫛歯片の数は、４〜６本が限度であったのに対して、この実施例では９本（端部櫛歯片４２ｃ、４２ｄの２本を除いた数）を立設した長い櫛体とされている。
【００１６】
上記構成からなる実施例の櫛付き容器櫛１を使用して頭髪に染毛剤を塗布する場合について説明する。使用者は容器本体１を持ち、塗布する部位に櫛歯片４２の先端を頭皮に軽く当て、容器本体１のボディを軽く押さえて、染毛液を出しながら梳いていく。注出口４２ｂは、各櫛歯片４２に向けて設けられているために、染毛液は櫛歯片４２の間に溜められる。この櫛歯片４２の間に溜まった液剤は、梳かれた頭髪に付着して染毛が施される。この実施例では、長い櫛歯列からなるために素早く梳くことができて、染めむらの生じにくい櫛付き容器とすることができる。
【００１７】
なお、この実施例では、１１本の櫛歯片を設けた例を示したが、櫛歯片の本数や、櫛歯列の長さは、適宜変更することができる。
【符号の説明】
【００１８】
１…櫛付き容器  ２…容器本体  ３…キャップ  ３０…キャップ筒  ３２…取付ベース  ４０…櫛体  ４１…櫛歯台  ４２…櫛歯片  ４２ａ…連通孔  ４２ｂ…注出口
【図１】
2012040437.tif 000003
【図２】
2012040437.tif 000004
【図３】
2012040437.tif 000005
【図４】
2012040437.tif 000006
【図５】
2012040437.tif 000007